(57)【要約】【課題】断熱仕切り板により商品収納庫を加温庫と冷却庫とに左右に区画した自動販売機において、背面断熱板が反った場合においても、加温庫と冷却庫との間の熱移動を低減できるようにする。【解決手段】背面断熱板３の中央部が外側に凸となるように反っても、背面断熱板３が加温庫（左庫９）に露出しないように背面断熱板３の前面に重ねられ左側面断熱板４と断熱仕切り板７に弾性的に挟持される加温庫背面断熱板１６が、背面断熱板３と断熱仕切り板７との間の断熱性が低下した部分（背面断熱板３と断熱仕切り板７との間と背面断熱板３と加温庫背面断熱板１６との間にでき、冷却庫（中庫１０）の空間と連通する空間）と、加温庫（左庫９）との熱が伝わる通路を遮断しているので、加温庫（左庫９）内から冷却庫（中庫１０）内への熱移動を抑えることができる。【選択図】図３
2015099459.tif 000002
【特許請求の範囲】
【請求項１】
前面を開口した商品収納庫の内壁面を少なくとも背面断熱板、側面断熱板で断熱し、さらに断熱仕切り板により前記商品収納庫を加温庫と冷却庫とに左右に区画した自動販売機であって、
前記加温庫の背面に位置する前記背面断熱板の前面に、左右の端面が前記側面断熱板と前記断熱仕切り板に弾性的に当接して、前記側面断熱板と前記断熱仕切り板に弾性的に挟持される加温庫背面断熱板を、前記背面断熱板が前記加温庫に露出しないように重ねたことを特徴とした自動販売機。
【請求項２】
前記加温庫背面断熱板は、左右の少なくともどちらか一方の端面に弾性変形部材を有することを特徴とした請求項１に記載の自動販売機。
【請求項３】
前記加温庫背面断熱板は、前記背面断熱板と対向する面に弾性変形部材を有することをことを特徴とした請求項１または２に記載の自動販売機。
【発明の詳細な説明】
【技術分野】
【０００１】
本発明は、前面を開口した商品収納庫の内壁面に断熱板を配置し断熱仕切り板により商品収納庫を左右に区画した自動販売機の断熱構造に関するものである。
【背景技術】
【０００２】
従来の自動販売機は、商品収納庫の背面に配設される断熱背板が、１枚の板状体で構成されて外箱の背板に沿って取り付けられ、また、商品収納庫の底面に配設される断熱底板も、１枚の板状体で構成されて外箱の収納庫底板に沿って取り付けられ、また、商品収納庫の天井面に配設される断熱天板も、１枚の板状体で構成されて外箱の収納庫天井板に沿って取り付けられ、その断熱背板と断熱底板と断熱天板の庫内側の面に対して、断熱仕切り板の端面が当接されて取り付けられていた。
【０００３】
ところで、外箱は、比較的薄い金属製の板材で構成されるため、特に、面積の大きな背板側では、中央部が外側に凸となるように反る現象が発生しやすい。
【０００４】
外箱の背板に、このような反りが生じると、断熱背板も反って、そのために、断熱背板と断熱仕切り板の端面との間に隙間が生じると、断熱仕切り板により商品収納庫を加温庫と冷却庫とに左右に区画した自動販売機では、加温庫内から冷却庫内への熱移動が多くなり、加温庫内を加温し冷却庫内を冷却するための消費電力量が増加する。
【０００５】
そこで、クッション材を断熱仕切り板の後端面に取り付けると共に、断熱背板側にもクッション材が当接する部分に両面粘着テープを貼り付けて、クッション材によって断熱背板と断熱仕切り板の後端面との間の隙間を埋めて、加温庫内から冷却庫内への熱移動を減らすことが提案された（例えば、特許文献１参照）。
【先行技術文献】
【特許文献】
【０００６】
【特許文献１】特開２０１１−１４５９８５号公報
【発明の概要】
【発明が解決しようとする課題】
【０００７】
しかしながら、上記特許文献１に記載の従来の自動販売機では、断熱背板の反りが比較的大きい場合は、クッション材の圧縮度低下により、クッション材によるシール性が低下し、加温庫内から冷却庫内への熱移動が多くなるという課題を有していた。
【０００８】
また、経年変化により、両面粘着テープの粘着性が低下し、クッション材の弾力性も低下すると、断熱背板と断熱仕切り板の端面との間に隙間が生じる可能性があるという課題を有していた。
【０００９】
本発明は、上記従来の課題を解決するものであり、断熱仕切り板により商品収納庫を加温庫と冷却庫とに左右に区画した自動販売機において、商品収納庫の背面全体を断熱する背面断熱板の中央部が外側に凸となるように反った場合においても、加温庫と冷却庫との間の熱移動を低減できる自動販売機を提供することを目的とする。
【課題を解決するための手段】
【００１０】
上記目的を達成するために、本発明の自動販売機は、前面を開口した商品収納庫の内壁面を少なくとも背面断熱板、側面断熱板で断熱し、さらに断熱仕切り板により前記商品収
納庫を加温庫と冷却庫とに左右に区画した自動販売機であって、前記加温庫の背面に位置する前記背面断熱板の前面に、左右の端面が前記側面断熱板と前記断熱仕切り板に弾性的に当接して、前記側面断熱板と前記断熱仕切り板に弾性的に挟持される加温庫背面断熱板を、前記背面断熱板が前記加温庫に露出しないように重ねたのである。
【００１１】
上記構成により、背面断熱板の中央部が外側に凸となるように反って、背面断熱板と断熱仕切り板との間の部分で断熱性が低下しても、加温庫背面断熱板が、背面断熱板と断熱仕切り板との間の断熱性が低下した部分と、加温庫との熱が伝わる通路を遮断しているので、加温庫内から冷却庫内への熱移動を抑えることができ、それにより自動販売機の消費電力量を低減することができる。
【発明の効果】
【００１２】
本発明によれば、背面断熱板の中央部が外側に凸となるように反って、背面断熱板と断熱仕切り板との間の部分で断熱性が低下しても、加温庫背面断熱板が、背面断熱板と断熱仕切り板との間の断熱性が低下した部分と、加温庫との熱が伝わる通路を遮断しているので、加温庫内から冷却庫内への熱移動を抑えることができ、それにより自動販売機の消費電力量を低減することができる。
【図面の簡単な説明】
【００１３】
【図１】本発明の実施の形態１における自動販売機の扉を除いた本体の概略正面図
【図２】同実施の形態の自動販売機の扉を除いた本体の概略横断面図
【図３】同実施の形態の自動販売機において背面断熱板の中央部が外側に凸となるように反った状態での扉を除いた本体の概略横断面図
【図４】同実施の形態の変形例の自動販売機の扉を除いた本体の概略横断面図
【図５】本発明の実施の形態２における自動販売機の扉を除いた本体の概略横断面図
【図６】同実施の形態の変形例における自動販売機の扉を除いた本体の概略横断面図
【図７】本発明の実施の形態３における自動販売機の扉を除いた本体の概略横断面図
【図８】同実施の形態の自動販売機において背面断熱板の中央部が外側に凸となるように反った状態での扉を除いた本体の概略横断面図
【発明を実施するための形態】
【００１４】
第１の発明は、前面を開口した商品収納庫の内壁面を少なくとも背面断熱板、側面断熱板で断熱し、さらに断熱仕切り板により前記商品収納庫を加温庫と冷却庫とに左右に区画した自動販売機であって、前記加温庫の背面に位置する前記背面断熱板の前面に、左右の端面が前記側面断熱板と前記断熱仕切り板に弾性的に当接して、前記側面断熱板と前記断熱仕切り板に弾性的に挟持される加温庫背面断熱板を、前記背面断熱板が前記加温庫に露出しないように重ねたことを特徴とする。
【００１５】
上記構成により、背面断熱板の中央部が外側に凸となるように反って、背面断熱板と断熱仕切り板との間の部分で断熱性が低下しても、加温庫背面断熱板が、背面断熱板と断熱仕切り板との間の断熱性が低下した部分と、加温庫との熱が伝わる通路を遮断しているので、加温庫内から冷却庫内への熱移動を抑えることができ、それにより自動販売機の消費電力量を低減することができる。
【００１６】
第２の発明は、第１の発明における前記加温庫背面断熱板が、左右の少なくともどちらか一方の端面に弾性変形部材を有するものであり、加温庫背面断熱板を構成する断熱材に比較的断熱性に優れるが弾性変形しにくい断熱材を用いた場合であっても左右方向の端面部分を弾性変形部材で構成していれば、加温庫背面断熱板の左右の端面を側面断熱板と断熱仕切り板に弾性的に当接させて、背面断熱板の中央部が外側に凸となるように反った場合においても加温庫背面断熱板を側面断熱板と断熱仕切り板とで保持することができる。
【００１７】
第３の発明は、第１または第２の発明における前記加温庫背面断熱板が、前記背面断熱板と対向する面に弾性変形部材を有するものであり、背面断熱板の中央部が外側に凸となるように反った場合に、背面断熱板と加温庫背面断熱板との間に隙間ができにくくなるので、背面断熱板と加温庫背面断熱板との隙間を経由した加温庫内から冷却庫内への熱移動を抑えることができ、それにより自動販売機の消費電力量を低減することができる。
【００１８】
以下、本発明の実施の形態について図面を用いて説明するが、この実施の形態によって本発明が限定されるものではない。
【００１９】
（実施の形態１）
図１は、本発明の実施の形態１における自動販売機の扉を除いた本体の概略正面図である。図２は、同実施の形態の自動販売機の扉を除いた本体を商品収納庫の部分で横に切断した概略横断面図である。図３は、同実施の形態の自動販売機において背面断熱板の中央部が外側に凸となるように反った状態での扉を除いた本体を商品収納庫の部分で横に切断した概略横断面図である。
【００２０】
本発明の実施の形態１における自動販売機の商品収納庫は、自動販売機本体の外殻を構成する前面を開口した鋼板製の外箱１と、その外箱１内を上下の空間に仕切る底面断熱板２と、底面断熱板２の上側の空間の内壁面の背面、側面、天井面を、それぞれ断熱する背面断熱板３、左側面断熱板４、右側面断熱板５、天面断熱板６によって構成される。
【００２１】
底面断熱板２、背面断熱板３、左側面断熱板４、右側面断熱板５、天面断熱板６には、板状の硬質ウレタンフォーム、板状の真空断熱材、真空断熱材を埋設した板状の硬質ウレタンフォーム、板状の硬質ウレタンフォームと板状の真空断熱材とを重ねたものを、求められる断熱性能とコストに応じて使い分けており、必要に応じて断熱板の表面に表面保護シートを設けている。
【００２２】
さらに、商品収納庫は、２つの断熱仕切り板７，８によって、左から加温庫となる左庫９、冷却庫となる中庫１０、冷却庫となる右庫１１に左右に区画されている。
【００２３】
底面断熱板２は、底面断熱板２の上側の空間（商品収納庫）と、底面断熱板２の下側の空間（機械室）とを断熱する。
【００２４】
背面断熱板３は、底面断熱板２の上側の空間（商品収納庫）の内壁面の背面に沿って配設され、底面断熱板２の上側の空間（商品収納庫）の内壁面の背面の略全面を１枚で覆って断熱する。
【００２５】
左側面断熱板４は、底面断熱板２の上側の空間（商品収納庫）の内壁面の左側面に沿って、後端面が背面断熱板３に当接するように配設され、底面断熱板２の上側の空間（商品収納庫）の内壁面の左側面を１枚で覆って断熱する。
【００２６】
右側面断熱板５は、底面断熱板２の上側の空間（商品収納庫）の内壁面の右側面に沿って、後端面が背面断熱板３に当接するように配設され、底面断熱板２の上側の空間（商品収納庫）の内壁面の右側面を１枚で覆って断熱する。
【００２７】
天面断熱板６は、底面断熱板２の上側の空間（商品収納庫）の内壁面の天井面に沿って後端部の下面が背面断熱板３の上端面に当接するように配設され、底面断熱板２の上側の空間（商品収納庫）の内壁面の天井面の全面を１枚で覆って断熱する。
【００２８】
断熱仕切り板７は、加温庫となる左庫９と、冷却庫となる中庫１０とを仕切る断熱板であり、底面断熱板２と当接する下端面と背面断熱板３と当接する後端面と天面断熱板６と当接する上端面にポリエチレンフォームからなるクッション材１２を備えている。
【００２９】
断熱仕切り板８は、冷却庫となる中庫１０と、冷却庫となる右庫１１とを仕切る断熱板であり、底面断熱板２と当接する下端面と背面断熱板３と当接する後端面と天面断熱板６と当接する上端面にポリエチレンフォームからなるクッション材１２を備えている。
【００３０】
左庫９、中庫１０、右庫１１のそれぞれの背面側には、上端に空気吸い込み口、下部前面に空気吹き出し口が形成された背面ダクト１３，１４，１５が設けられる。
【００３１】
そして、庫内の下部において冷媒サイクルを構成する庫内熱交換器（図示せず）等により冷却または加熱された空気は、庫内循環用の送風機（図示せず）により、庫内に吹き出され、庫内の商品を冷却または加温した後、背面ダクト１３，１４，１５の上端の空気吸い込み口に吸い込まれ、背面ダクト１３，１４，１５の中を下降して、背面ダクト１３，１４，１５の下部前面の空気吹き出し口から庫内下部の庫内熱交換器（図示せず）等が配置された部分に戻る。
【００３２】
本実施の形態では、加温庫となる左庫９の背面に位置する背面断熱板３の前面に、左右の端面が左側面断熱板４と断熱仕切り板７に弾性的に当接して、左側面断熱板４と断熱仕切り板７に弾性的に挟持される加温庫背面断熱板１６を、背面断熱板３が左庫９に露出しないように重ねている。なお、加温庫背面断熱板１６は背面断熱板３と左庫９の背面ダクト１３との間に配置されることになる。
【００３３】
本実施の形態では、加温庫背面断熱板１６に、厚みが約１５ｍｍの発泡スチロール板を用いており、左庫９の背面ダクト１３の奥行き寸法は、加温庫背面断熱板１６を設けたことにより、中庫１０、右庫１１の背面ダクト１４，１５の奥行き寸法（約３０ｍｍ）よりも、約１５ｍｍ小さくなっており、背面ダクト１３の奥行き寸法が小さくなって背面ダクト１３の風路抵抗が増加したことを考慮して、左庫９の庫内循環用の送風機（図示せず）は加温庫背面断熱板１６を設けていないものと較べて回転数（送風量）を増やしている。
【００３４】
加温庫背面断熱板１６の材料として、発泡ウレタンフォームや、真空断熱材も候補に挙がったが、発泡スチロールを採用した。その理由は、発泡スチロールの方が他の断熱材より弾力性と断熱板の生産効率に優れ、真空断熱材は高価で、コストアップとなるからである。
【００３５】
加温庫背面断熱板１６を、左側面断熱板４と断熱仕切り板７とで、しっかりと保持するためには、加温庫背面断熱板１６の厚みを断熱仕切り板７の使用（設置）時のクッション材１２の厚みよりも厚くすることが望ましい。
【００３６】
以上のように本実施の形態の自動販売機は、前面を開口した商品収納庫の内壁面を少なくとも背面断熱板３、側面断熱板４，５で断熱し、さらに断熱仕切り板７により商品収納庫を加温庫（左庫９）と冷却庫（中庫１０）とに左右に区画した自動販売機であって、加温庫（左庫９）の背面に位置する背面断熱板３の前面に、左右の端面が左側面断熱板４と断熱仕切り板７に弾性的に当接して、左側面断熱板４と断熱仕切り板７に弾性的に挟持される加温庫背面断熱板１６を、背面断熱板３が加温庫（左庫９）に露出しないように重ねたことを特徴とする。
【００３７】
上記構成により、図３に示すように、背面断熱板３の中央部が外側に凸となるように反って、背面断熱板３と断熱仕切り板７との間の部分でクッション材１２の弾性復元力では
カバーできない隙間ができて、背面断熱板３と加温庫背面断熱板１６との間にできる空間が冷却庫（中庫１０）の空間と連通することにより、背面断熱板３と断熱仕切り板７との間の部分で断熱性が低下しても、加温庫背面断熱板１６が、背面断熱板３と断熱仕切り板７との間の断熱性が低下した部分（背面断熱板３と断熱仕切り板７との間と背面断熱板３と加温庫背面断熱板１６との間にでき、冷却庫（中庫１０）の空間と連通する空間）と、加温庫（左庫９）との熱が伝わる通路を遮断しているので、加温庫（左庫９）内から冷却庫（中庫１０）内への熱移動を抑えることができ、それにより自動販売機の消費電力量を低減することができる。
【００３８】
本実施の形態は、加温庫となる左庫９の背面に位置する背面断熱板３の前面に、左右の端面が左側面断熱板４と断熱仕切り板７に弾性的に当接して、左側面断熱板４と断熱仕切り板７に弾性的に挟持される加温庫背面断熱板１６を、背面断熱板３が左庫９に露出しないように重ねたが、図４に示すように、さらに冷却庫となる中庫１０の背面に位置する背面断熱板３の前面に、左右の端面が断熱仕切り板７と断熱仕切り板８に弾性的に当接して、断熱仕切り板７と断熱仕切り板８に弾性的に挟持される中冷却庫背面断熱板１７を、背面断熱板３が中庫１０に露出しないように重ねて、中冷却庫背面断熱板１７を、背面断熱板３と、奥行き寸法を左庫９の背面ダクト１３の奥行き寸法と同様に小さくした中庫１０の背面ダクト１４との間に配置しても構わない。
【００３９】
しかし、加温庫背面断熱板１６と中冷却庫背面断熱板１７のどちらか一方だけ設けるのであれば、加温庫背面断熱板１６を設ける方が中冷却庫背面断熱板１７を設けるより効果的である。
【００４０】
なお、左庫９は、夏や中間期（春、秋）には、庫内下部の庫内熱交換器（図示せず）によって冷却庫に切り替えできるものでも構わず、左庫９を加温庫とする時は、庫内下部の庫内熱交換器（図示せず）または庫内下部の電気ヒータ（図示せず）の少なくともどちらか一方により、庫内を加温するようにしても構わない。
【００４１】
また、中庫１０は、庫内下部に庫内熱交換器（図示せず）の他に電気ヒータ（図示せず）を設けて、冬に加温庫に切り替えできるものでも構わない。
【００４２】
また、本実施の形態では、左庫９を加温庫としたが、左庫９を加温庫とせずに右庫１１を加温庫にしても構わない。
【００４３】
（実施の形態２）
図５は、本発明の実施の形態２における自動販売機の扉を除いた本体を商品収納庫の部分で横に切断した概略横断面図である。
【００４４】
本実施の形態において、実施の形態１と同一構成については同一符号を付して、その詳細な説明は省略する。
【００４５】
本実施の形態は、加温庫背面断熱板１６の左端面に弾性変形部材としてクッション材１８を有する点で、実施の形態１と異なっており、その他の構成は実施の形態１と同様である。
【００４６】
クッション材１８の材料は、例えばウレタンフォームや独立発泡ポリエチレンフォームであり、加温庫背面断熱板１６の左端面の寸法に合わせたものを用いており、粘着面を加温庫背面断熱板１６の左端面に貼り付ける。両者の寸法が異なると取付け冶具が必要となり作業性が低下するが、両者の寸法を合わせれば冶具を用いずに所定の位置に取付けることができ作業性が向上するためである。
【００４７】
以上のように本実施の形態の自動販売機は、実施の形態１の構成において、左右の少なくともどちらか一方の端面に弾性変形部材（クッション材１８）を有する加温庫背面断熱板１６を用いるものであり、加温庫背面断熱板１６を構成する断熱材に比較的断熱性に優れるが弾性変形しにくい断熱材を用いた場合であっても、また、左側面断熱板４と断熱仕切り板７との間隔と加温庫背面断熱板１６の左右方向の寸法（幅寸法）の少なくともどちらか一方に設計寸法との誤差（製造寸法バラツキ）があっても、左右方向の端面部分を弾性変形部材（クッション材１８）で構成していれば、加温庫背面断熱板１６の左右の端面を左側面断熱板４と断熱仕切り板７に弾性的に当接させて、背面断熱板３の中央部が外側に凸となるように反った場合においても加温庫背面断熱板１６を左側面断熱板４と断熱仕切り板７とで保持することができる。
【００４８】
なお、図６に示すように、左端面ではなく右端面に弾性変形部材としてクッション材１８を有する加温庫背面断熱板１６や、左端面と右端面の両方に弾性変形部材としてクッション材１８を有する加温庫背面断熱板１６を用いても構わないが、その場合は、クッション材１８とクッション材１２とが接触するために、加温庫背面断熱板１６の左端面にクッション材１８を有する場合よりも、加温庫背面断熱板１６を左側面断熱板４と断熱仕切り板７とで保持する力は低下し、クッション材１８とクッション材１２とが熱（空気）の通り道になりやすいので、注意が必要である。
【００４９】
（実施の形態３）
図７は、本発明の実施の形態３における自動販売機の扉を除いた本体を商品収納庫の部分で横に切断した概略横断面図である。
【００５０】
本実施の形態において、実施の形態１と同一構成については同一符号を付して、その詳細な説明は省略する。
【００５１】
本実施の形態は、加温庫背面断熱板１６は、背面断熱板３と対向する面に弾性変形部材としてクッション材１９を有する点で、実施の形態１と異なっており、その他の構成は実施の形態１と同様である。
【００５２】
クッション材１８の材料は、例えばウレタンフォームや独立発泡ポリエチレンフォームであり、加温庫背面断熱板１６の背面の寸法に合わせたものを用いており、粘着面を加温庫背面断熱板１６の背面に貼り付ける。両者の寸法が異なると取付け冶具が必要となり作業性が低下するが、両者の寸法を合わせれば冶具を用いずに所定の位置に取付けることができ作業性が向上するためである。
【００５３】
以上のように本実施の形態の自動販売機は、実施の形態１の構成において、背面断熱板３と対向する面に弾性変形部材としてクッション材１９を有する加温庫背面断熱板１６を用いるものであり、図８に示すように、背面断熱板３の中央部が外側に凸となるように反った場合に、背面断熱板３と加温庫背面断熱板１６との間に隙間ができにくくなるので、また、背面断熱板３の前面と加温庫背面断熱板１６の背面の少なくともどちらか一方に凹凸があっても、背面断熱板３と加温庫背面断熱板１６との間に隙間ができにくくなるので、背面断熱板３と加温庫背面断熱板１６との隙間を経由した加温庫（左庫９）内から冷却庫（中庫１０）内への熱移動を抑えることができ、それにより、自動販売機の消費電力量を低減することができる。
【産業上の利用可能性】
【００５４】
以上のように、本発明は、背面断熱板の中央部が外側に凸となるように反って、背面断熱板と断熱仕切り板との間の部分で断熱性が低下しても、加温庫背面断熱板が、背面断熱
板と断熱仕切り板との間の断熱性が低下した部分と、加温庫との熱が伝わる通路を遮断しているので、加温庫内から冷却庫内への熱移動を抑えることができ、それにより自動販売機の消費電力量を低減することができるので、加温販売する商品と冷却販売する商品とを隣接した庫内に収納して販売する飲料自動販売機に最適である。
【符号の説明】
【００５５】
３  背面断熱板
４  左側面断熱板
７  断熱仕切り板
９  左庫（加温庫）
１０  中庫（冷却庫）
１６  加温庫背面断熱板
１８  クッション材（弾性変形部材）
１９  クッション材（弾性変形部材）
【図１】
2015099459.tif 000003
【図２】
2015099459.tif 000004
【図３】
2015099459.tif 000005
【図４】
2015099459.tif 000006
【図５】
2015099459.tif 000007
【図６】
2015099459.tif 000008
【図７】
2015099459.tif 000009
【図８】
2015099459.tif 000010